(57)【要約】【課題】被写体を適度な明るさで接写することができる。また、ＬＥＤ等の照明部を別途設ける必要がなく、製造コストを抑制することができる。【解決手段】接写用アダプタ１は、携帯情報端末１００に取り付けられる本体部２と、携帯情報端末１００のカメラ部１０１に対応するスコープ部３と、携帯情報端末１００の照明部１０２に対応する照明光通過部４とを備える。スコープ部３と照明用光通過部４は本体部２において互いに接続する態様で設けられ、携帯情報端末１００の照明部１０２の照明光が、照明光通過部４の内部を通過したあと、照明用光通過部４とスコープ部３の接続部分からスコープ部３の内部に入射して、スコープ部３の先端部に配置された被写体Ｓを照射する光路を形成する。照明光の光路上に光度を減少させながら照明光を透過させる光学フィルタ５が設けられている。【選択図】図２
2015197617.tif 000002
【特許請求の範囲】
【請求項１】
被写体を撮影するカメラ部と、被写体に照明光を照射する照明部とを備えた携帯情報端末に取り付けられる接写用アダプタであって、
携帯情報端末に取り付けられる本体部と、携帯情報端末のカメラ部に対応するスコープ部と、携帯情報端末の照明部に対応する照明光通過部とを備え、前記スコープ部と前記照明用光通過部は前記本体部において互いに接続する態様で設けられ、
前記携帯情報端末の照明部の照明光が、照明光通過部の内部を通過したあと、照明用光通過部とスコープ部の接続部分からスコープ部の内部に入射して、スコープ部の先端部に配置された被写体を照射する光路を形成し、
前記照明光の光路上に光度を減少させながら照明光を透過させる光学フィルタが設けられていることを特徴とする接写用アダプタ。
【請求項２】
前記光学フィルタは、特定の波長の照明光のみを透過させるカラーフィルタ機能を有する請求項１に記載の接写用アダプタ。
【請求項３】
前記光学フィルタは、前記スコープ部に脱着可能に設けられている請求項１または請求項２に記載の接写用アダプタ。
【請求項４】
前記光学フィルタは、前記スコープ部の軸方向に延びる筒状に形成され、スコープ部の先端部に脱着される請求項３に記載の接写用アダプタ。
【請求項５】
前記光学フィルタは、外周面が周方向に沿って材質、色または表面形状が異なるように形成され、軸回転されることにより照明光の光度および／または透過波長が切り替わるものとなされている請求項４に記載の接写用アダプタ。
【請求項６】
前記光学フィルタは、板状に形成され、前記照明用光通過部の照明部側の基端部において照明部に平行な態様で設けられている請求項１に記載の接写用アダプタ。
【請求項７】
前記光学フィルタは、前記スコープ部における前記照明用光通過部と接続している部分の側壁である請求項１に記載の接写用アダプタ。
【請求項８】
前記照明用光通過部および前記スコープ部は、互いの接続部分を除く側壁が光を透過させない部材から構成される請求項１から請求項７に記載の接写用アダプタ。
【発明の詳細な説明】
【技術分野】
【０００１】
本発明は、カメラ付きの携帯電話やスマートフォンなどの携帯情報端末において、肌や頭皮を接写する際に使用される接写用アダプタに関するものである。
【背景技術】
【０００２】
近年、日々の肌状態を管理する美容目的で、カメラ付きの携帯電話やスマートフォンなどの携帯情報端末により肌や頭皮を近接距離で撮影（以下、接写という）することが行われている。このようなカメラ付き携帯電話やスマートフォンは、接写する際に照明光がないと肌や頭皮を十分に接写することができない。
【０００３】
そこで、従来、カメラ付き携帯電話に取り付けられる接写用アダプタであって、カメラに取り付けられるスコープ部と、接写する際の照明部としてのＬＥＤを備えた接写用アダプタが販売されている（非特許文献１参照）。
【０００４】
しかしながら、この接写用アダプタは、接写の際の照明部としてのＬＥＤを備えているため、構造が複雑であり、製造コストが高くなる問題があった。
【０００５】
ところで、最近のカメラ付きの携帯情報端末の多くは、カメラで撮影するためのＬＥＤを備えている。そこで、このようなカメラ付き携帯情報端末の備えるＬＥＤを、カメラ付き携帯情報端末で接写する際の照明部として利用することが考えられる。
【０００６】
そこで、特許文献１には、スコープ部内にカメラとＬＥＤが収まるようスコープ部を大きくすることにより、カメラ付き携帯電話の備えるＬＥＤから発せられる照明光を接写用アダプタのスコープ部に直接引き入れる構造の携帯電話機が開示されている。
【先行技術文献】
【特許文献】
【０００７】
【特許文献１】特開２００８−１２９４４６号公報
【非特許文献】
【０００８】
【非特許文献１】ＯＴＡＳ株式会社、”iPhone4用LED付マイクロスコープ”、［平成26年2月26日検索］、インターネット<URL : http://www.otaskk.jp/shopdetail/003001000053/019/007/Y/page1/recommend/>
【発明の概要】
【発明が解決しようとする課題】
【０００９】
しかしながら、上記携帯電話機では、引き入れられる照明光が被写体に直接照射されるため、被写体が真っ白に写る場合があるといった問題があった。
【００１０】
本発明は、上述の問題に鑑みてなされたものであり、カメラ付き携帯情報端末により被写体を適度な明るさで接写することができ、ひいては製造コストを抑制することが可能な接写用アダプタを提供することを目的とする。
【課題を解決するための手段】
【００１１】
本発明は、上記目的を達成するために、被写体を撮影するカメラ部と、被写体に照明光を照射する照明部とを備えた携帯情報端末に取り付けられる接写用アダプタであって、携帯情報端末に取り付けられる本体部と、携帯情報端末のカメラ部に対応するスコープ部と、携帯情報端末の照明部に対応する照明光通過部とを備え、前記スコープ部と前記照明用光通過部は前記本体部において互いに接続する態様で設けられ、前記携帯情報端末の照明部の照明光が、照明光通過部の内部を通過したあと、照明用光通過部とスコープ部の接続部分からスコープ部の内部に入射して、スコープ部の先端部に配置された被写体を照射する光路を形成し、前記照明光の光路上に光度を減少させながら照明光を透過させる光学フィルタが設けられていることを特徴とする。
【００１２】
これによれば、携帯情報端末の照明部の照明光は、光学フィルタにより光度が減少しながら透過したあと、スコープ部の内部において先端部に配置された被写体を照射するため、被写体を適度な明るさで接写することができる。また、携帯情報端末に設けられている照明部を利用するため、ＬＥＤ等の照明部を別途設ける必要がなく、製造コストを抑制することができる。
【００１３】
また、前記光学フィルタは、特定の波長の照明光のみを透過させるカラーフィルタ機能を有してもよい。これによれば特定の波長に対応した特定の色の照明光のみが光学フィルタを透過するため、スコープ部内の被写体に対して特定の色の照明光を照射することができる。
【００１４】
また、光学フィルタは、前記スコープ部に脱着可能に設けられているのが好ましい。これによれば、被写体に応じて光学フィルタを交換することができ、被写体に応じて適度な明るさで接写することが可能となる。
【００１５】
また、光学フィルタは、前記スコープ部の軸方向に延びる筒状に形成され、スコープ部の先端部に脱着されるのが好ましい。これによれば、光学フィルタを軸方向に移動させるだけで脱着し得るため、光学フィルタを容易に交換することができる。
【００１６】
また、光学フィルタは、外周面が周方向に沿って材質、色または表面形状が異なるように形成され、軸回転されることにより照明光の光度および／または透過波長が切り替わるのが好ましい。これによれば、光学フィルタを軸回転させることにより、照明光の光度および／または透過波長を容易に切り替えることができ、スコープ部内の光度や色などの照明環境を変更することが可能となる。
【００１７】
また、前記光学フィルタは、板状に形成され、前記照明用光通過部の照明部側の基端部において照明部に平行な態様で設けられているのが好ましい。これによれば、光学フィルタが照明部に近接して配置されるため、照明光を光学フィルタに確実に透過させることができる。
【００１８】
また、光学フィルタは、前記スコープ部における前記照明用光通過部と接続している部分の側壁であるのが好ましい。これによれば、スコープ部の側壁を利用した簡易な構成で光学フィルタを設けることができる。
【００１９】
また、前記照明用光通過部および前記スコープ部は、互いの接続部分を除く側壁が光を透過させない部材から構成されるのが好ましい。これによれば、照明光通過部およびスコープ部の外側の光が内部に進入することを防止でき、被写体をより一層適度な明るさで接写することができる。
【発明の効果】
【００２０】
本発明によれば、携帯情報端末の照明部の照明光は光学フィルタにより光度が減少しながら透過したあと、スコープ部の内部において先端部に配置された被写体を照射するため、被写体を適度な明るさで接写することができる。また、携帯情報端末に設けられている照明部を利用するため、ＬＥＤ等の照明部を別途設ける必要がなく、製造コストを抑制することができる。このためユーザが接写アダプタを安価に購入することができ、それを自己のカメラ付きの携帯情報端末に取り付けることにより、いつでも簡単に自己または他人の肌や頭皮を接写することができ、ひいては肌や頭皮に関する日々の美容やスカルプケアに資することが可能となる。
【図面の簡単な説明】
【００２１】
【図１】本発明に係る接写アダプタを示す斜視図である。
【図２】図１の接写アダプタを示す側面図である。
【図３】図１の接写アダプタを示す拡大断面図である。
【図４】本発明に係る接写アダプタの使用方法を示す斜視図である。
【図５】変形例に係る接写アダプタを示す側面図および斜視図である。
【図６】第２の実施形態に係る接写アダプタを示す分解斜視図および側面図である。
【図７】第３の実施形態に係る接写アダプタを示す側面図である。
【図８】第４の実施形態に係る接写アダプタを示す斜視図である。
【発明を実施するための形態】
【００２２】
＜第１の実施形態＞
次に、本発明に係る接写アダプタ１の第１の実施形態について図１〜図４を参照しつつ説明する。
【００２３】
前記接写アダプタ１は、図１および図２に示すように、被写体Ｓを撮影するカメラ部１０１と、被写体Ｓに照明光を照射するＬＥＤ等の照明部１０２とを頭部に備えたスマートフォン等の携帯情報端末１００に取り付けられる。そして、この接写アダプタ１は、携帯情報端末１００に取り付けられる本体部２と、携帯情報端末１００のカメラ部１０１に対応するスコープ部３と、携帯情報端末１００の照明部１０２に対応する照明光通過部４と、スコープ部３に取り付けられる半透明な光学フィルタ５を備えている。
【００２４】
前記本体部２は、接写アダプタ１を携帯情報端末１００に取り付けるためのものであり、図１〜図３に示すように、前面部材２１、後面部材２２、上面部材２３、右側面部材２４および左側面部材２５からなり、下部には開口部２６が形成され、これら各部材２１〜２５に囲まれる下部開口の内部空間２７が形成されている。
【００２５】
而して、本体部１は、携帯情報端末１００の頭部が本体部２の開口部２６から内部空間２７に挿入されると、携帯端末１００の頭部の前面、後面、上面の各面を各部材２１〜２５により覆った状態で携帯情報端末１００の頭部に確実に取り付けられる。
【００２６】
また、本体部２は、前面部材２１の左端部付近の位置に左右に延びる長円状又は矩形状の窓部２８が形成されている。この窓部２８は、本体部２の内部空間２７に携帯情報端末１００の頭部が挿入された際、携帯情報端末１００のカメラ部１０１および照明部１０２を窓部２８から露出させるためのものである。
【００２７】
前記スコープ部３は、被写体Ｓを接写するための撮影空間を形成するものであり、図１〜図３に示すように、先端部３１と基端部３２が開口した略円筒状に形成され、本体部２の窓部２８の左側周縁部から垂直に立設している。また、スコープ部３は、側壁の右側部において軸方向に延びる開口部３３が形成されており、該開口部３３を介して後述の照明光通過部４と内部同士が連通している。
【００２８】
而して、スコープ部３は、図２に示すように、先端部３１に被写体Ｓが配置されると、被写体Ｓを外部から遮断せしめ、外部の別の光などの環境に影響されない撮影空間３４を形成する。なお、スコープ部３の撮影空間３４における照明光の具体的な状態については後述する。
【００２９】
前記照明光通過部４は、携帯情報端末１００の照明部１０２の照明光を通過させるためのものであり、図１〜図３に示すように、左側端部４１と基端部４２が開口した中空の略扇台状に形成され、本体部２の窓部２８の右側周縁部から立設している。具体的には、照明光通過部４は、本体部２の窓部２８の右側周縁部の上部から垂直に立設する上側壁部４３と、本体部２の開口部２８の右側周縁部の下部から垂直に立設する下側壁部４４と、本体部２の窓部２８の右側周縁部の右部からスコープ部３に向かって緩やかに湾曲した前側壁部４５と備え、上側壁部４３、下側壁部４４および前側壁部４５の左側の各端部が左側端部４２を構成し、該左側端部４１がスコープ部３の開口部３３の周縁部に接続している。
【００３０】
而して、照明光通過部４は、携帯情報端末１００の照明部１０２の照明光を内部に通過せしめ、スコープ部３の開口部３３から撮影空間３４内に出射せしめる。なお、照明光は、照明光通過部４の内部を通過する際、スコープ部３の開口部３３に向けて直接または内周面で反射しながら通過していく。
【００３１】
なお、本実施形態では、照明光通過部４およびスコープ部３は、互いの接続部分を除く側壁が黒色等のダーク色に着色されるのが好ましい。このダーク色に着色された側壁によって、照明光通過部４およびスコープ部３の内部に外側から光が進入することを防止でき、被写体Ｓをより一層適度な明るさで接写することが可能となる。また、照明光通過部４で乱反射した照明光がカメラ部１０１に入ることも防止できる。
【００３２】
前記光学フィルタ５は、情報端末１００の照明部１０２の照明光の光度を減少させるためのものであり、図１〜図３に示すように、先端部５１と基端部５２が開口した中空の円錐台状に形成され、スコープ部３の内部に設けられている。具体的には、光学フィルタ５は、基端部５２がスコープ部３よりも径小且つ先端部５１がスコープ部３とほぼ同径であり、スコープ部３とほぼ同一の長さに形成されている。そして、光学フィルタ５は、先端部５１がスコープ部３の先端部３１の高さに一致し且つ基端部５２がスコープ部３の基端部３２の高さに一致する態様でスコープ部３の同軸上に設けられている。なお、光学フィルタ５は、先端部５１に径方向外側に延びる環状のリブ５３が形成されており、該リブ５３によりスコープ部３の先端部３１に固定されている。
【００３３】
また、前記光学フィルタ５は、側壁の外周面に微細な凹凸５４がシボ状に形成されている。この光学フィルタ５の凹凸５４は、メッシュ密度が特に限定されるものではないが、少なくとも照明部１０２の照明光の光度を減少させながら通過させることにより、スコープ部３の撮影空間３４における光学フィルタ５の内部を適度な明るさやホワイトバランスに資するように調整するものである必要がある。なお、凹凸５４は、実際には凹凸度合いを目視することができないものであるが、説明の都合上、図６では凹凸度合いを強調して図示している。
【００３４】
而して、光学フィルタ５は、携帯情報端末１００の照明部１０２から被写体Ｓまでの照明光の光路Ｌ上に配置されることになり、照明部１０２の照明光が透過することとなる。このとき前記光学フィルタ５は、側壁の外周面に微細な凹凸５４がシボ状に形成されているため、照明部１０２の照明光の光度を減少させながら照明光を透過させることができる。
【００３５】
また、光学フィルタ５は、基端部５２に近接レンズ６が設けられており、被写体Ｓを接写するときの焦点距離を調節するようになっている。
【００３６】
次に、接写アダプタ１を使用した被写体Ｓの接写方法について説明する。
【００３７】
まず、ユーザは、接写アダプタ１を携帯情報端末１００の頭部に取り付ける。具体的には、ユーザは、携帯情報端末１００の頭部を本体部２の開口部２６から内部空間２７に挿入し、携帯端末１００の頭部の前面、後面、上面、側面の各面が本体部２の各部材２１〜２５により覆われた状態となるように、携帯情報端末１００の頭部に接写アダプタ１を確実に取り付ける。このとき携帯情報端末１００のカメラ部１０１と照明部１０２は、本体部２の窓部２８から露出した状態となる。
【００３８】
次に、ユーザは、携帯情報端末１００の頭部に取り付けた接写アダプタ１を所望の被写体Ｓに合わせる。具体的には、ユーザは、接写アダプタ１のスコープ部３の先端部３１の内側に被写体Ｓの撮影箇所が配置されるように、スコープ部３の先端部３１を被写体Ｓの表面に当接させる。このとき被写体Ｓは、スコープ部３を通じて携帯情報端末１００のカメラ部１０１に対向した接写可能な状態になる。
【００３９】
次に、ユーザは、接写アダプタ１を被写体Ｓの撮影箇所に合わせた状態で被写体Ｓを接写する。具体的には、ユーザが、携帯情報端末１００の所定の操作を行って接写を開始すると、携帯情報端末１００の照明部１０２から照明光が発光し、該照明光が照明光通過部４の内部をスコープ部３の方向に向かって通過したあと、スコープ部３の開口部３３からスコープ部３の内部の撮影空間３４に入射する。そして、スコープ部３の撮影空間３４に入射した照明光は、光学フィルタ５において光度が減少しながら透過したあと、直接または光学フィルタ５の内周面で反射しながら被写体Ｓを照射する。
【００４０】
而して、光学フィルタ５の内部は光度が減少した照明光により適度な明るさとホワイトバランスの状態となり、それと同時にカメラ部１０１が適度な明るさとホワイトバランスで照射された被写体Ｓを接写する。
【００４１】
なお、本実施形態では、光学フィルタ５はスコープ部３に固定されるものとしたが、図５（ａ）に示すように、光学フィルタ５がスコープ部３に脱着可能に設けられてもよい。具体的には、光学フィルタ５は、スコープ部３の先端部から軸方向に沿って挿入されることによりスコープ部３に取り付けられる。また、光学フィルタ５は、スコープ部３の先端部３１から軸方向に沿って引き抜かれることによりスコープ部３から取り外される。これによれば、被写体Ｓに応じて光学フィルタ５を交換することができ、被写体Ｓに応じて適度な明るさで接写することができる。しかも、光学フィルタ５を軸方向に沿って移動させるだけで脱着し得るため、光学フィルタ５を容易に交換することができる。
【００４２】
また、本変形例に係る接写アダプタ１は、図５（ｂ）に示すように、光学フィルタ５が外周面が周方向に沿って表面形状が異なるように形成され、軸回転されることにより照明光の光度および／または透過波長が切り替わるものとなされてもよい。具体的には、光学フィルタ５は、外周面において複数の領域Ａ１、Ａ２、Ａ３・・・が周方向に沿って設けられ、これらＡ１、Ａ２、Ａ３・・・の照明光の光度および／または透過波長がそれぞれ異なるように形成されている。例えば、領域Ａ１は表面に微細な凹凸が高密度で形成され、領域Ａ２は表面に微細な凹凸が中密度で形成され、領域Ａ３は表面に微細な凹凸が低密度で形成されることなどが挙げられる。これによれば、ユーザが指先を使って光学フィルタ５を軸回転させることにより、照明光の光路Ｌ上に配置される部分を領域Ａ１、Ａ２、Ａ３・・・のいずれかに切り替えると、光学フィルタ５における照明光の光度および／または透過波長を容易に切り替えることができ、スコープ部内の光度や色などの照明環境を変更することが可能となる。なお、本変形例では、光学フィルタ５の外周面の表面形状が異なるものとしたが、材質または色が異なるものとしてもよい。
【００４３】
＜第２の実施形態＞
次に、本発明に係る接写アダプタの第２の実施形態について図６を参照しつつ説明する。  本実施形態の接写アダプタ１は、光学フィルタ５に代えて光学フィルタ７を備えている。なお、本体部２、スコープ部３および照明光通過部４は、第１の実施形態に示すものと同一のため、同一の符号を付して、その説明を省略する。
【００４４】
前記光学フィルタ７は、図６に示すように、本体部１の幅方向に延びる半透明な板状部材であって、右側に光学部７ａを備え、かつ左側に近接レンズ部７ｂを備えている。光学部７ａは、表面に照明光の光度を減少させて通過させるための微細な凹凸がシボ状に形成されている。なお、凹凸５４は、実際には凹凸度合いを目視することができないものであるが、説明の都合上、図６（ｂ）では凹凸度合いを強調して図示している。また、製造の都合上、光学部７ａ以外の部分にも該凹凸が形成されているが、少なくとも光学部７ａに形成されていればよい。
【００４５】
而して、光学フィルタ７は、本体部２の窓部２８に嵌め込まれると、光学部７ａが照明部１０２に対応する位置に配置されるとともに、レンズ部７ｂがカメラ部１０１に対応する位置に配置される。
【００４６】
このため、光学フィルタ７の光学部７ｂが照明部１０２に近接して配置されるため、照明光を光学フィルタ７に確実に透過させることができる。
【００４７】
＜第３の実施形態＞
次に、本発明に係る接写アダプタの第３の実施形態について図７を参照しつつ説明する。
【００４８】
本実施形態の接写アダプタ１は、スコープ部３の側壁３５を光学フィルタとして機能させている。なお、なお、本体部２は、第１の実施形態に示すものと同一のため、同一の符号を付して、その説明を省略する。
【００４９】
前記スコープ部３は、図７に示すように、本体部２の窓部２８の左側周縁部から立設され、本体部２の窓部２８の先端部３１に向かう従い径が拡大する側壁３５を備えた円錐台筒状に形成されている。この側壁３５は、後述するように光学フィルタとして機能する。
【００５０】
前記照明光通過部４は、本体部２の窓部２８の右側周縁部から垂直に立設され、上端部が側壁３５に接続した中実の光ファイバーから構成される。
【００５１】
而して、照明部１０２から発行された照明光は、照明光通過部４の内部をスコープ部３の方向に向かって通過したあと、スコープ部３の側壁３５において光度が減少しながら透過したあと、直接またはスコープ部３の内周面で反射しながら被写体Ｓを照射する。
【００５２】
このため、スコープ部３の側壁３５を利用した簡易な構成で光学フィルタを設けることができる。
【００５３】
なお、本実施形態では、照明光通過部４は、中実の光ファイバーから構成されるものとしたが、中空の筒状体から構成されるものとしてもよい。
【００５４】
＜第４の実施形態＞
次に、本発明に係る接写アダプタの第４の実施形態について図８を参照しつつ説明する。
【００５５】
本実施形態の接写アダプタ１は、本体部２に代えて本体部８を備えている。
【００５６】
この 本体部８は、携帯情報端末１００を前面と後面から挟持する部材であって、携帯情報端末１００の前面を押圧するＬ字状の前面板８１と、携帯情報端末１００の後面を押圧するＬ字状の後面板８２と、後面板８２を前面板８１を回動可能に付勢するばね式のヒンジ８３を備える。また、前記前板部８１は、前面８１ａに第１の実施形態１と同様のスコープ部３、照明光通過部４および光学フィルタ５が設けられている。
【００５７】
而して、本実施形態に係る接写アダプタ１は、携帯情報端末１００を上方から前面および後面を挟持する構造であるため、携帯情報端末１００の保護ケースを付けた状態のまま取り付けられ得る。
【００５８】
なお、本実施形態では、携帯情報端末１００の上方から挟持する構造としたが、携帯情報端末１００の右方または左方から挟持する構造であってもよい。また、本体部８の挟持構造は上述のものに限定されず、その他の挟持構造であってもよい。
【００５９】
また、光学フィルタとして、実施形態１と同様の筒状の光学フィルタ５を使用したが、実施形態２と同様の板状の光学フィルタ７などを使用してもよい。
【００６０】
なお、以上の各実施形態では、本体部２、スコープ部３、および照明光通過部４、光学フィルタ５、７は、いずれも上述の形状に限定されるものはなく、その他の形状であってもよい。
【００６１】
また、光学フィルタ５、７は、表面に微細な凹凸をシボ状に形成されるものとしたが、照明光の光度を減少させながら透過させるものであれば、どのような構造であってもよい。例えば、光学フィルタ５に微細な凹凸がシボ状に形成されているもののほか、光学フィルタ５が材質的に白色になっているものや、光学フィルタ５の表面に白色が着色されているものなどが挙げられる。また、光学フィルタ５，７は、照明光の光度を減少させる機能のほか、特定の波長の照明光のみを透過させるカラーフィルタ機能を有していたり、照明光を拡散させながら透過させる機能などを有してもよい。
【００６２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６３】
１…接写アダプタ
２…本体部
３…スコープ部
４…照明光通過部
５…光学フィルタ
６…近接レンズ
１００…携帯情報端末
１０１…カメラ部
１０２…照明部
【図１】
2015197617.tif 000003
【図２】
2015197617.tif 000004
【図３】
2015197617.tif 000005
【図４】
2015197617.tif 000006
【図５】
2015197617.tif 000007
【図６】
2015197617.tif 000008
【図７】
2015197617.tif 000009
【図８】
2015197617.tif 000010